(57)【要約】【課題】被写体像のぶれがない撮影画像を得ることができるデジタルカメラを提供する。【解決手段】ＣＰＵ３２により合焦時のフォーカス評価値を第２メモリ４０に記憶し、合焦された状態で被写体像の撮影の実行指示が入力されたときにＣＣＤ１４により取得された画像情報を撮影画像情報として記録メディア４２Ａに記憶し、第２メモリ４０に記憶した合焦時のフォーカス評価値と撮影画像情報に基づいてＡＦ検出回路３４により検出された撮影時のフォーカス評価値との比較結果に基づいて、撮影画像情報により示される被写体像にぶれが発生したか否かを判定し、ぶれが発生したと判定した場合に、所定期間内にＣＣＤ１４により取得された画像情報を再撮影画像情報として記録メディア４２Ａに記憶させる制御を行う。【選択図】図２
2008227838.tif 000002
【特許請求の範囲】
【請求項１】
結像レンズを透過した被写体像を撮像することにより当該被写体像を示す画像情報を取得する撮像手段と、
前記撮像手段によって取得された前記画像情報に基づいて前記結像レンズによる合焦の度合を示す物理量を検出する検出手段と、
前記検出手段によって検出された前記物理量に基づいて自動で合焦制御を行う自動合焦手段と、
前記自動合焦手段による合焦時の前記物理量である合焦時物理量を記憶する第１記憶手段と、
前記自動合焦手段により合焦された状態で前記被写体像の撮影の実行指示が入力されたときに前記撮像手段により取得された前記画像情報を撮影画像情報として記憶する第２記憶手段と、
前記第１記憶手段に記憶された前記合焦時物理量と前記撮影画像情報に基づいて前記検出手段により検出された前記物理量である撮影時物理量との比較結果に基づいて、前記撮影画像情報により示される被写体像にぶれが発生したか否かを判定し、前記ぶれが発生したと判定した場合に、所定期間内に前記撮像手段により取得された前記画像情報を再撮影画像情報として前記第２記憶手段に記憶させる制御を行う制御手段と、
を備えたことを特徴とするデジタルカメラ。
【請求項２】
前記撮影画像情報から人の顔の画像を検出する顔検出手段を更に備え、
前記制御手段は、前記顔検出手段によって前記顔の画像が検出された場合に限り、前記ぶれが発生したか否かを判定することを特徴とする請求項１記載のデジタルカメラ。
【請求項３】
前記制御手段による前記ぶれが発生したか否かの判定結果を報知する報知手段を更に備えたことを特徴とする請求項１又は請求項２に記載のデジタルカメラ。
【請求項４】
前記検出手段は、前記撮像手段による撮像範囲を複数の区分領域に分割し、各区分領域毎に前記物理量を検出し、
前記制御手段は、前記各区分領域毎に前記合焦時物理量と前記撮影時物理量との差分が所定値以上であるか否かを判定し、予め定められた数以上の前記区分領域における前記差分が前記所定値以上であった場合には、撮影中にデジタルカメラが揺れてしまうことによって前記撮影画像情報により示される被写体像全体がぶれる現象である手ぶれが発生したと判定し、前記予め定められた数未満の前記区分領域における前記差分が前記所定値以上であった場合には、撮影中に主要被写体が動くことによって前記撮影画像情報により示される被写体像の一部がぶれる現象である被写体ぶれが発生したと判定することを特徴とする請求項３に記載のデジタルカメラ。
【請求項５】
前記報知手段は、前記制御手段により前記再撮影画像情報を記憶させる制御が行われた場合に再撮影が実行されたことを更に報知することを特徴とする請求項３又は請求項４に記載のデジタルカメラ。
【請求項６】
前記撮影画像情報により示される被写体像と前記再撮影画像情報により示される被写体像とを並べて表示する画像表示手段を更に備えたことを特徴とする請求項１乃至請求項５の何れか１項に記載のデジタルカメラ。
【請求項７】
前記画像表示手段は、前記撮影画像情報により示される被写体像と前記再撮影画像情報により示される被写体像との少なくとも一方の一部領域を拡大して表示することを特徴とする請求項６に記載のデジタルカメラ。
【請求項８】
前記画像表示手段によって表示された前記撮影画像情報により示される被写体像と前記再撮影画像情報により示される被写体像との少なくとも一方を選択するための選択指示を受け付ける受付手段を更に備え、
前記制御手段は、前記受付手段によって受け付けられた前記選択指示により選択された被写体像を示す画像情報のみを前記第２記憶手段に残す制御を更に行うことを特徴とする請求項６又は請求項７に記載のデジタルカメラ。
【請求項９】
前記撮影画像情報を前記第２記憶手段から消去するための指示を入力する入力手段を更に備え、
前記制御手段は、前記入力手段により前記消去するための指示が入力されたとき、前記撮影画像情報を前記第２記憶手段から消去する制御を更に行うことを特徴とする請求項１乃至請求項８の何れか１項に記載のデジタルカメラ。
【発明の詳細な説明】
【技術分野】
【０００１】
本発明は、撮像手段により取得された画像情報に基づいて自動で合焦制御を行うデジタルカメラに関するものである。
【背景技術】
【０００２】
近年、ＣＣＤ（Charge Coupled Device）、ＣＭＯＳ（Complementary Metal Oxid Semiconductor）イメージ・センサ等の撮像素子の高解像度化に伴い、デジタル電子スチルカメラやデジタルビデオカメラ等のデジタルカメラの需要が急増している。
【０００３】
ところで、この種の従来のデジタルカメラとして、撮影指示、すなわち撮像デバイスにより取り込まれた撮影画像を記録媒体に記録する指示がなされると、撮影画像を記録媒体に記録するとともに、撮影画像のハイパスフィルタ処理出力値の積算処理結果と撮影画像の直前の撮像デバイスにより取り込まれた画像のハイパスフィルタ処理出力値の積算処理結果とを比較し、その比較結果に基づいて撮影時にぶれが発生したことを報知するものが知られている（例えば、特許文献１等参照。）。
【特許文献１】特開２００４−１４７１８５公報
【発明の開示】
【発明が解決しようとする課題】
【０００４】
しかしながら、上記従来のデジタルカメラでは、撮影によって得られた被写体像にぶれが発生したことを報知することはできるものの、結果的に被写体像のぶれた撮影画像しか得ることができないという問題点があった。
【０００５】
本発明は上記問題点を解決するためになされたものであり、被写体像のぶれがない撮影画像を得ることができるデジタルカメラを提供することを目的とする。
【課題を解決するための手段】
【０００６】
上記目的を達成するために、請求項１に記載の発明は、結像レンズを透過した被写体像を撮像することにより当該被写体像を示す画像情報を取得する撮像手段と、前記撮像手段によって取得された前記画像情報に基づいて前記結像レンズによる合焦の度合を示す物理量を検出する検出手段と、前記検出手段によって検出された前記物理量に基づいて自動で合焦制御を行う自動合焦手段と、前記自動合焦手段による合焦時の前記物理量である合焦時物理量を記憶する第１記憶手段と、前記自動合焦手段により合焦された状態で前記被写体像の撮影の実行指示が入力されたときに前記撮像手段により取得された前記画像情報を撮影画像情報として記憶する第２記憶手段と、前記第１記憶手段に記憶された前記合焦時物理量と前記撮影画像情報に基づいて前記検出手段により検出された前記物理量である撮影時物理量との比較結果に基づいて、前記撮影画像情報により示される被写体像にぶれが発生したか否かを判定し、前記ぶれが発生したと判定した場合に、所定期間内に前記撮像手段により取得された前記画像情報を再撮影画像情報として前記第２記憶手段に記憶させる制御を行う制御手段と、を備えている。
【０００７】
請求項１記載の発明によれば、撮像手段により、結像レンズを透過した被写体像が撮像されることにより当該被写体像を示す画像情報が取得される。なお、上記撮像手段には、ＣＣＤ、ＣＭＯＳイメージ・センサ等の固体撮像素子が含まれる。
【０００８】
ここで、本発明では、検出手段により、撮像手段によって取得された画像情報に基づいて結像レンズによる合焦の度合を示す物理量が検出され、自動合焦手段により、検出手段によって検出された物理量に基づいて自動で合焦制御が行われる。なお、上記物理量には、撮像によって得られた画像の輝度の高周波成分を示すフォーカス評価値（所謂コントラスト値）などの合焦の度合を評価することができるあらゆる物理量が含まれる。
【０００９】
また、本発明では、第１記憶手段により、自動合焦手段による合焦時の物理量である合焦時物理量が記憶される一方、第２記憶手段により、自動合焦手段により合焦された状態で被写体像の撮影の実行指示が入力されたときに撮像手段により取得された画像情報が撮影画像情報として記憶される。
【００１０】
そして、本発明では、制御手段により、第１記憶手段に記憶された合焦時物理量と、撮影画像情報に基づいて検出手段により検出された物理量である撮影時物理量との比較結果に基づいて、撮影画像情報により示される被写体像にぶれが発生したか否かが判定され、ぶれが発生したと判定された場合に、所定期間内に撮像手段により取得された画像情報が再撮影画像情報として第２記憶手段に記憶させる制御が行われる。
【００１１】
このように、本発明によれば、撮影画像情報により示される被写体像にぶれが発生したと判定した場合に、所定期間内に再撮影を行っているので、被写体像のぶれがない撮影画像を得ることができる。
【００１２】
なお、請求項２に記載の発明は、請求項１の発明において、前記撮影画像情報から人の顔の画像を検出する顔検出手段を更に備え、前記制御手段が、前記顔検出手段によって前記顔の画像が検出された場合に限り、前記ぶれが発生したか否かを判定することを特徴としている。
【００１３】
請求項２に記載の発明によれば、画像データ内に人物の顔が検出された場合に限ってぶれが発生したか否かを判定するようにしている。これにより、人を含む被写体像についてぶれのないものを得ることができ、人の撮影を重視するユーザにとっての利便性を向上できる。
【００１４】
また、請求項３に記載の発明は、請求項１又は請求項２に記載の発明において、前記制御手段による前記ぶれが発生したか否かの判定結果を報知する報知手段を更に備えたことを特徴としている。これにより、ユーザは当該判定結果を把握することができ、ユーザにとっての利便性を向上できる。
【００１５】
また、請求項４に記載の発明は、請求項３に記載の発明において、前記検出手段が、前記撮像手段による撮像範囲を複数の区分領域に分割し、各区分領域毎に前記物理量を検出し、前記制御手段が、前記各区分領域毎に前記合焦時物理量と前記撮影時物理量との差分が所定値以上であるか否かを判定し、予め定められた数以上の前記区分領域における前記差分が前記所定値以上であった場合には、撮影中にデジタルカメラが揺れてしまうことによって前記撮影画像情報により示される被写体像全体がぶれる現象である手ぶれが発生したと判定し、前記予め定められた数未満の前記区分領域における前記差分が前記所定値以上であった場合には、撮影中に主要被写体が動くことによって前記撮影画像情報により示される被写体像の一部がぶれる現象である被写体ぶれが発生したと判定することを特徴としている。これにより、ユーザはぶれの種類を容易に把握することができる。
【００１６】
また、請求項５の発明は、請求項３又は請求項４に記載の発明において、前記報知手段は、前記制御手段により前記再撮影画像情報を記憶させる制御が行われた場合に再撮影が実行されたことを更に報知することを特徴としている。これにより、ユーザは撮影時にぶれが発生したと判定され、再撮影が実行されたことを把握することができる。
【００１７】
また、請求項６に記載の発明は、請求項１乃至請求項５の何れか１項に記載の発明において、前記撮影画像情報により示される被写体像と前記再撮影画像情報により示される被写体像とを並べて表示する画像表示手段を更に備えたことを特徴としている。これにより、ユーザはぶれが発生したと判定された被写体像と、ぶれが発生したとの判定に応じた再撮影により得られた被写体像とを容易に比較することができる。
【００１８】
また、請求項７に記載の発明は、請求項６に記載の発明において、前記画像表示手段が、前記撮影画像情報により示される被写体像と前記再撮影画像情報により示される被写体像との少なくとも一方の一部領域を拡大して表示することを特徴としている。これにより、ユーザは拡大表示した一部領域の合焦状態を詳細に確認することができる。
【００１９】
また、請求項８に記載の発明は、請求項６又は請求項７に記載の発明において、前記画像表示手段によって表示された前記撮影画像情報により示される被写体像と前記再撮影画像情報により示される被写体像との少なくとも一方を選択するための選択指示を受け付ける受付手段を更に備え、前記制御手段が、前記受付手段によって受け付けられた前記選択指示により選択された被写体像を示す画像情報のみを前記第２記憶手段に残す制御を更に行うことを特徴としている。これにより、ユーザは、ぶれが発生したと判定された被写体像と、再撮影で得た被写体像とのうち、必要な被写体像のみを選ぶことができる。つまり、２つの被写体像のうち、鮮明に写っている（ぶれの少ない又はぶれの無い）被写体像を選択して記憶することができる。
【００２０】
ところで、撮影画像情報により示される被写体像は再撮影画像情報により示される被写体像よりもぶれが発生している可能性が高いことは言うまでもない。
【００２１】
そこで、請求項９に記載の発明は、請求項１乃至請求項８の何れか１項に記載の発明において、前記撮影画像情報を前記第２記憶手段から消去するための指示を入力する入力手段を更に備え、前記制御手段が、前記入力手段により前記消去するための指示が入力されたとき、前記撮影画像情報を前記第２記憶手段から消去する制御を更に行うことを特徴としている。これにより、第２記憶手段から撮影画像情報を消去することにより、第２記憶手段から無駄な画像情報を無くすことができる。
【発明の効果】
【００２２】
本発明に係るデジタルカメラによれば、撮影画像情報により示される被写体像にぶれが発生したと判定した場合に、所定期間内に再撮影を行っているので、被写体像のぶれがない撮影画像を得ることができる、という優れた効果を有する。
【発明を実施するための最良の形態】
【００２３】
以下、図面を参照して本発明を実施するための最良の形態について詳細に説明する。
【００２４】
〔第１の実施形態〕
先ず、図１を参照して本実施形態に係るデジタルカメラ１０の外観上の構成を説明する。同図に示すように、デジタルカメラ１０の正面には、被写体像を結像させるための結像レンズとしてのレンズ１２と、撮影する被写体の構図を決定するために用いられるファインダ７０と、が備えられている。また、デジタルカメラ１０の上面には、撮影を実行する際にユーザによって押圧操作されるレリーズボタン５６Ａと、電源スイッチ５６Ｂと、が備えられている。
【００２５】
なお、本実施形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、本実施形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００２８】
また、デジタルカメラ１０の背面には、ＬＣＤ３０にメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００２９】
次に、図２を参照して、本実施形態に係るデジタルカメラ１０の電気系の要部構成を説明する。
【００３０】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３１】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３２】
また、デジタルカメラ１０は、デジタルカメラ１０全体の動作を司るＣＰＵ（中央処理装置）３２と、ＡＦ機能を働かせるために必要とされる物理量を検出するＡＦ検出回路３４と、ＡＥ機能及びＡＷＢ(Automatic White Balance)機能を働かせるために必要とされる物理量（本実施形態では、ＣＣＤ１４による撮像によって得られた画像の明るさを示す量）を検出するＡＥ・ＡＷＢ検出回路３６と、デジタルカメラ１０の各種機能を実現するためのプログラムとデータが格納されている不揮発性のメモリ、例えばフラッシュＲＯＭにより構成された第１メモリ３８と、撮像することにより得られた被写体像を示す画像情報としてのデジタル画像データを一時的に記憶したり、各種処理の実行時のワークエリア等として用いられる、例えばＳＤＲＡＭ(Synchronous Dynamic Random Access Memory）により構成された第２メモリ４０と、この第２メモリ４０に記憶されたデジタル画像データから人の顔の有無を検出し、検出結果を示す情報（以下、「顔検出情報」という。）を出力する顔検出回路５２と、を含んで構成されている。
【００３３】
本実施形態に係る顔検出回路５２は、例えば、予め人物の肌色に対応する輝度信号及び色信号（クロマ信号）の範囲を決定しておき、ＣＣＤ１４による撮像によって得られた被写体像を示す画像データの各画素の輝度信号及び色信号がその範囲内にあるか否かを判定し、肌色を有する１まとまりの領域を肌色領域として抽出する。次いで、抽出した肌色領域内に目、鼻、口、眉などの肌色でないパターンが含まれるか否かを判定し、これらのパターンが含まれている場合に、該肌色領域を顔領域と判定する。なお、処理の簡素化のため、パターン判定を行わず、単に肌色領域を顔領域と判定しても良い。また、特開平５−１００３２８号公報や特開平５−１６５１２０号公報に記載されているように、色相や彩度の２次元ヒストグラムからクラスターを求め、クラスターの内部構造、形状、接続する外部構造から顔領域を判定する方法などを利用しても良い。
【００３４】
また、本実施形態に係るＡＦ検出回路３４では、上記ＡＦ機能を働かせるために必要とされる物理量として、一例として図３に示すように、ＣＣＤ１４による撮像領域の中央部に位置された矩形状の領域であり、ＡＦ機能を実行しているときに焦点を合わせる対象となる領域（以下、「フォーカスエリア」という。）における、ＣＣＤ１４による撮像によって得られた画像データの輝度信号の高周波成分を示すフォーカス評価値を適用しているが、これに限らず、合焦の度合を示す物理量であれば如何なるものも適用できる。
【００３５】
一方、デジタルカメラ１０は、可搬型の記録メディア４２Ａをデジタルカメラ１０でアクセス可能とするためのメディアコントローラ４２を含んで構成されている。なお、本実施形態に係るデジタルカメラ１０では、記録メディア４２Ａとして、ｘＤピクチャカード（登録商標）を用いているが、これに限らず、光磁気ディスクやスマートメディア（登録商標）等の他の記憶手段を用いても良い。
【００３６】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０、顔検出回路５２、及びメディアコントローラ４２は、各々バスＢＵＳを介して相互に接続されている。
【００３７】
従って、ＣＰＵ３２は、第１メモリ３８に格納された所定のプログラムに従って、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８、第２メモリ４０、及び記録メディア４２Ａへのアクセスと、顔検出回路５２からの顔検出情報の取得とを各々行うことができる。
【００３８】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００３９】
更に、ＣＰＵ３２はモータ駆動部５０の入力端子に接続され、モータ駆動部５０の出力端子は光学ユニット１３に備えられた焦点調整モータ、ズームモータ、及び絞り駆動モータに接続されている。
【００４０】
本実施形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４１】
ＣＰＵ３２は、光学ズーム倍率を変更する際にはズームモータを駆動制御して光学ユニット１３に含まれるレンズ１２の焦点距離を変化させる。
【００４２】
また、ＣＰＵ３２は、ＣＣＤ１４で撮像することにより得られた被写体像を示す画像データのフォーカス評価値が最大となるように上記焦点調整モータを駆動制御することによって合焦制御を行う。すなわち、本実施形態に係るデジタルカメラ１０では、合焦制御として、読み取られた画像のフォーカス評価値が最大となるようにレンズの位置を設定する、所謂ＴＴＬ（Through The Lens）方式を採用している。
【００４３】
一方、レリーズボタン５６Ａ、電源スイッチ５６Ｂ、モード切替スイッチ５６Ｃ、十字カーソルボタン５６Ｄ、メニューキー５６Ｅ、実行キー５６Ｆ、及びキャンセルキー５６Ｇを含む操作部５６はＣＰＵ３２に接続されており、ＣＰＵ３２は、これら操作部５６の各々に対する操作状態を常時把握できる。
【００４４】
なお、本実施形態に係るデジタルカメラ１０はＥｘｉｆ（Exchangeable Image File Format）規格に対応しており、撮影することにより得られた画像データは、一例として図４に模式的に示すように、Ｅｘｉｆ規格の電子化ファイル（以下、「画像ファイル」と称する）６０として記録メディア４２Ａに記憶される。そして、メニューキー５６Ｅの押圧操作に応じてＬＣＤ３０に表示されるメニュー画面上でＥｘｉｆ規格の画像ファイル６０に含まれるタグ領域６０Ｂに記憶したい情報を予め設定しておくことにより、それ以降の撮影によって得られた画像ファイル６０のタグ領域６０Ｂに当該情報を記憶することができる。
【００４５】
すなわち、図４に示すように、本実施形態に係るデジタルカメラ１０において、撮影により得られて記録メディア４２Ａに記憶される画像ファイル６０はＥｘｉｆ規格に対応しているため、スタートコード領域６０Ａ、タグ領域６０Ｂ、サムネイル画像領域６０Ｃ、及び主画像領域６０Ｄが含まれている。ここで、タグ領域６０Ｂには、メニュー画面上で予め設定された各種情報が記憶されることになる。
【００４６】
なお、タグ領域６０Ｂに記憶可能な情報として、本実施形態では、画像ファイル６０を得るための撮影条件に関する撮影情報（ストロボの発光／未発光を示す情報、絞りの状態を示す情報、撮影日時を示す情報等）や、デジタルカメラ１０で設定されていた撮影条件（マニュアル撮影、オート撮影、プログラム撮影、マクロ撮影、移動体撮影、夜景撮影、人物撮影等）を示す情報、撮影によって得られた被写体像にぶれが発生していることを示す情報等が予め設定できるものとして構成されている。
【００４７】
次に、本実施形態に係るデジタルカメラ１０の作用を説明する。先ず、撮影モードが設定されている場合の全体的な処理の流れについて簡単に説明する。
【００４８】
先ず、ＣＣＤ１４による光学ユニット１３を介した撮像が行われ、被写体像を示すＲ（赤）、Ｇ（緑）、Ｂ（青）の各色毎の信号がＣＣＤ１４から順次出力される。そして、ＣＣＤ１４から出力された信号は順次ＣＤＳ１６に入力されて各色毎に相関二重サンプリング処理が施された後にＡＤＣ１８に入力され、ＡＤＣ１８は、ＣＤＳ１６から入力されたＲ、Ｇ、Ｂの各色毎の信号を各々１２ビットのデジタル画像データに変換して画像入力コントローラ２０に出力する。
【００４９】
画像入力コントローラ２０は内蔵しているラインバッファにＡＤＣ１８から順次入力されるデジタル画像データを蓄積して一旦第２メモリ４０の所定領域に格納する。
【００５０】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって所定ビット（一例として８ビット）のデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５１】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５２】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施形態では、ＪＰＥＧ形式）で圧縮した後に記録メディア４２ＡにＥｘｉｆフォーマットの画像ファイル６０として記憶する。この際、当該画像ファイル６０のタグ領域６０Ｂには、予めメニュー画面上で当該タグ領域６０Ｂに記憶すべき情報として設定された情報が記憶されることになる。
【００５３】
次に、図５を参照して、撮影モードが設定されているときのデジタルカメラ１０の作用を、本発明に特に関係する処理を含めたものとして詳細に説明する。なお、図５は、撮影モードが設定されているときに所定期間毎（本実施形態では、０．１秒毎）にＣＰＵ３２により実行される撮影モード処理プログラムの処理の流れを示すフローチャートであり、該プログラムは第１メモリ３８の所定領域に予め記憶されている。
【００５４】
同図のステップ１００では、レリーズボタン５６Ａが半押し状態となるまで待機し、次のステップ１０２にて、前述したＡＥ機能及びＡＷＢ機能を働かせ、次のステップ１０４にて、前述したＡＦ機能を働かせる。本ステップ１０４の処理により、前述したフォーカスエリア内の画像に焦点が合った状態（合焦状態）となる。
【００５５】
そこで、次のステップ１０６では、上記ＡＦ機能の実行による合焦時のフォーカス評価値を第２メモリ４０に記憶させる。
【００５６】
次のステップ１０８では、レリーズボタン５６Ａが全押し状態とされたか否かを判定し、否定判定となった場合はステップ１１１へ移行して、レリーズボタン５６Ａが開放されたか否かを判定し、否定判定となった場合は上記ステップ１０８へ戻る一方、肯定判定となった場合は上記ステップ１００へ戻る。
【００５７】
一方、ステップ１０８において肯定判定となった場合はステップ１１０へ移行し、前述したように画像ファイル６０を作成して記録メディア４２Ａに記憶することにより、撮影を実行する。
【００５８】
次のステップ１１２では、顔検出回路５２から顔検出情報を取得し、次のステップ１１４にて、取得した顔検出情報が人の顔が存在することを示すものであるか否かを判定することにより、撮影された画像に顔が存在するか否かを判定し、否定判定となった場合はステップ１１６へ移行して、通常プレビューを実行し、その後に本撮影モード処理プログラムを終了する。なお、上記ステップ１１６では、上記通常プレビューとして、直近の撮影により得られた画像ファイル６０を記録メディア４２Ａから読み出し、当該画像ファイル６０により示される被写体像、すなわち撮影画像をＬＣＤ３０に表示する。
【００５９】
一方、上記ステップ１１４において肯定判定となった場合にはステップ１１８へ移行し、ＡＦ検出回路３４に対し、上記ステップ１１０の撮影によって記憶された画像ファイル６０に基づいて、フォーカスエリアのフォーカス評価値、すなわち撮影時のフォーカス評価値を検出させる。
【００６０】
次のステップ１２０では、上記ステップ１１８の処理によりＡＦ検出回路３４に対して検出させたフォーカス評価値をＡＦ検出回路３４から取得し、次のステップ１２２にて、上記ステップ１０６の処理により記憶したフォーカス評価値を第２メモリ４０から読み出した後、当該フォーカス評価値（合焦時のフォーカス評価値）と、上記ステップ１２０の処理により取得したフォーカス評価値（撮影時のフォーカス評価値）との差分値を算出する。
【００６１】
次のステップ１２４では、上記ステップ１２２の処理によって算出した差分値が所定値以上であるか否かを判定し、肯定判定された場合は撮影された画像にぶれが発生していると見なしてステップ１２６へ移行し、後述する再撮影処理ルーチン・プログラムを実行した後に本撮影モード処理プログラムを終了する一方、否定判定された場合には上記ステップ１１６へ移行し、上述した通常プレビューを実行した後に本撮影モード処理プログラムを終了する。
【００６２】
なお、本実施形態に係る撮影モード処理プログラムでは、上記所定値として、上記差分値が超えたときに撮影画像にぶれが生じたものと見なすことのできる値として予め多人数の官能試験等により得られた値を適用しているが、これに限らず、例えば、ユーザに設定させる形態等、他の形態とすることもできる。
【００６３】
次に、図６を参照して、本実施形態に係る再撮影処理のルーチン・プログラムについて説明する。なお、図６は、再撮影処理ルーチン・プログラムの処理の流れを示すフローチャートであり、該プログラムも第１メモリ３８の所定領域に予め記憶されている。
【００６４】
同図のステップ２００では、この時点から所定期間内（例えば１秒以内）に撮影を再び実行する。
【００６５】
次のステップ２０２では、撮影画像にぶれが発生したことを示すぶれ発生情報を上記ステップ１１０の処理により記録メディア４２Ａに記憶された画像ファイル６０（以下、「撮影画像ファイル」という。）のタグ領域６０Ｂに記憶する。
【００６６】
次のステップ２０４では、再撮影が実行されたことを示す再撮影情報を上記ステップ２００の処理により記録メディア４２Ａに記憶された画像ファイル６０（以下、「再撮影画像ファイル」という。）のタグ領域６０Ｂに記憶する。
【００６７】
次のステップ２０６では、予め定められた再撮影報知画面をＬＣＤ３０により表示させ、次のステップ２０８にて所定情報の入力待ちを行う。図７には、本実施形態に係る再撮影報知画面の表示例が示されている。同図に示されるように、この再撮影報知画面では、ぶれが発生したために再撮影を行った旨のメッセージと、撮影画像ファイルにより示される被写体像である撮影画像（図７では「画像１」と表記。）及び再撮影画像ファイルにより示される被写体像である再撮影画像（図７では「画像２」と表記。）と、撮影画像と再撮影画像の記録として残す画像の選択を促すメッセージとが表示される。なお、このとき、撮影画像及び再撮影画像は並べて表示され、且つ、それぞれの画像の中央部（ここでは、フォーカスエリアに対応する領域）が拡大されて表示される。同図に示されるような再撮影報知画面が表示されると、ユーザは撮影画像のみを記録する場合は「画像１」を、再撮影画像のみを記録する場合は「画像２」を、撮影画像と再撮影画像の両方を記録する場合は「両方」を各々指定する。
【００６８】
ステップ２１０では、「画像１」が指定されたか否かを判定することにより、撮影画像が選択されたか否かを判定し、肯定判定された場合にはステップ２１２へ移行して、記録メディア４２Ａから上記ステップ２００の処理により記録メディア４２Ａにて記憶された画像ファイル６０を消去し、その後に本再撮影処理ルーチン・プログラムを終了する。
【００６９】
一方、上記ステップ２１０において否定判定された場合にはステップ２１４へ移行し、「画像２」が指定されたか否かを判定することにより、再撮影画像が選択されたか否かを判定して、肯定判定された場合にはステップ２１６へ移行し、記録メディア４２Ａから上記ステップ１１０の処理により記録メディア４２Ａに記憶された画像ファイル６０を消去し、その後に本再撮影処理ルーチン・プログラムを終了する。なお、上記ステップ２１４において否定判定された場合には、何れの画像ファイル６０も消去することなく本再撮影処理ルーチン・プログラムを終了する。
【００７０】
次に、図８を参照して、再生モードが設定されており、記録メディア４２Ａに記憶されている、ぶれが発生している撮影画像を消去する際のデジタルカメラ１０の作用を説明する。なお、図８は、この際にＣＰＵ３２により実行される撮影画像消去処理プログラムの処理の流れを示すフローチャートであり、該プログラムも第１メモリ３８の所定領域に予め記憶されている。
【００７１】
同図のステップ３００では、記録メディア４２Ａに画像ファイル６０が記憶されているか否かを判定し、否定判定となった場合には本撮影画像消去処理プログラムを終了する一方、肯定判定となった場合にはステップ３０２へ移行して、記録メディア４２Ａから直近の撮影で記憶された画像ファイル６０を読み出す。
【００７２】
次のステップ３０４では、上記ステップ３０２で読み出された画像ファイル６０が撮影画像ファイルであるか否かを判定し、否定判定となった場合には本撮影画像消去処理プログラムを終了する一方、肯定判定となった場合にはステップ３０６へ移行して、当該撮影画像ファイル（以下、「処理対象画像ファイル」という。）にぶれ発生情報が記憶されているか否かを判定する。
【００７３】
ステップ３０６において否定判定となった場合は後述するステップ３１６へ移行する一方、肯定判定となった場合にはステップ３０８へ移行し、予め定められた画像消去指示画面をＬＣＤ３０により表示させ、次のステップ３１０にて所定情報の入力待ちを行う。
【００７４】
図９には、本実施形態に係る画像消去指示画面の表示例が示されている。同図に示されるように、この画像消去指示画面では、処理対象画像ファイルにより示される撮影画像と、この撮影画像にぶれが発生した可能性が高いことを示すメッセージと、表示されている撮影画像を消去するか否かの指定を入力するためのメニューとが表示される。同図に示されるような画像消去指示画面が表示されると、ユーザは表示されている撮影画像を消去する場合は「消去する」を、消去せずに残す場合は「消去しない」を各々指定する。これに応じて上記ステップ３１０が肯定判定となってステップ３１２に移行する。
【００７５】
次のステップ３１２では、画像消去指示画面上で「消去する」が指定されたか否かを判定し、否定判定となった場合は後述するステップ３１６に移行する一方、肯定判定となった場合にはステップ３１４に移行し、処理対象画像ファイルを記録メディア４２Ａから消去する。
【００７６】
次のステップ３１６では、記録メディア４２Ａに記憶されている全ての画像ファイル６０について上記ステップ３０２〜３１４の処理が終了したか否かを判定し、否定判定となった場合は上記ステップ３０２に戻る一方、肯定判定となった時点で本撮影画像消去処理プログラムを終了する。なお、上記ステップ３０２〜３１６の処理を繰り返し実行する際には、それまでに処理対象としなかった画像ファイル６０を処理対象とするようにする。
【００７７】
なお、上記ステップ１０４が本発明の自動合焦手段に相当し、上記ステップ１１４、上記ステップ１２２、上記ステップ１２４、上記ステップ２００、上記ステップ２１０、上記ステップ２１２、上記ステップ２１４、上記ステップ２１６、上記ステップ３１２、及び上記ステップ３１４が本発明の制御手段に相当する。
【００７８】
〔第２の実施形態〕
上記第１の実施形態では、ＣＣＤ１４による撮像領域の中央部のみを対象として合焦制御を行うデジタルカメラ１０に本発明を適用した場合の形態を例に挙げて説明したが、本第２の実施形態では、当該撮像領域全体を複数の区分領域に分割して各区分領域毎のフォーカス評価値に基づいて合焦制御を行うデジタルカメラ１０に本発明を適用した場合の形態例について説明する。
【００７９】
本第２の実施形態に係るＡＦ検出回路３４は、ＣＣＤ１４による撮像領域を複数の区分領域に分割し、各区分領域毎にＡＦ機能を働かせるために必要とされる物理量（ここでは、フォーカス評価値）を検出している。なお、本第２の実施形態に係るＡＦ検出回路３４では、一例として図１０に示すように、上記撮像領域を水平方向に１０分割で、垂直方向に１０分割の計１００分割の各区分領域毎にフォーカス評価値を検出するように構成されている。
【００８０】
なお、第２の実施形態に係るデジタルカメラの構成は、ＡＦ検出回路３４の構成を除いて上述した第１の実施形態に係るデジタルカメラ１０の構成（図１及び図２参照）と同様であるので、ＡＦ検出回路３４以外の部分のここでの説明は省略し、以下、図１０〜図１７を参照して本第２の実施形態に係るデジタルカメラ１０の作用を説明する。
【００８１】
先ず、図１１を参照して、撮影モードが設定されているときのデジタルカメラ１０の作用を、本発明に特に関係する部分を含めたものとして詳細に説明する。なお、図１１は、撮影モードが設定されているときに所定期間毎（本実施形態では、０．１秒毎）にＣＰＵ３２により実行される撮影モード処理プログラムの処理の流れを示すフローチャートであり、該プログラムは第１メモリ３８の所定領域に予め記憶されている。また、図１１における図５と同一の処理を行うステップについては図５と同一の符号を付して、その説明を極力省略する。
【００８２】
同図のステップ１００において肯定判定となった場合にはステップ１０２に移行し、ステップ１０２において前述した処理を実行する。次にステップ１０４において前述した処理を実行する。
【００８３】
次のステップ１０６ｂでは、ステップ１０４のＡＦ機能の実行による合焦時の各区分領域毎のフォーカス評価値を第２メモリ４０に記憶させる。
【００８４】
次のステップ１０８において否定判定となった場合はステップ１１１に移行し、ステップ１１１において前述した処理を実行する。一方、ステップ１０８において肯定判定となった場合にはステップ１１０に移行し、ステップ１１０、ステップ１１２において前述した処理を実行する。次のステップ１１４において肯定判定となった場合はステップ１１８ｂに移行する一方、否定判定となった場合にはステップ１１６に移行し、前述した処理を実行する。
【００８５】
ステップ１１８ｂでは、ＡＦ検出回路３４に対して、上記ステップ１１０の撮影によって記憶された画像ファイル６０に基づいて、図１０に示す区分領域毎のフォーカス評価値、すなわち撮影時の区分領域毎のフォーカス評価値を検出させる。
【００８６】
次のステップ１２０ｂでは、上記ステップ１１８ｂの処理によりＡＦ検出回路３４に対して検出させた区分領域毎のフォーカス評価値をＡＦ検出回路３４から取得し、次のステップ１２２ｂにて、上記ステップ１０６ｂの処理により記憶した撮影時の区分領域毎のフォーカス評価値を第２メモリ４０から読み出した後、当該フォーカス評価値（合焦時の区分領域毎のフォーカス評価値）と、上記ステップ１２０ｂの処理により取得した区分領域毎のフォーカス評価値（撮影時の区分領域毎のフォーカス評価値）との差分値を算出する。
【００８７】
次のステップ１２４ｂでは、全区分領域のうちの１つでも上記ステップ１２２ｂの処理によって算出した差分値が所定値以上であるか否かを判定し、肯定判定された場合は撮影画像にぶれが発生していると見なしてステップ１２６ｂへ移行し、後述する再撮影処理ルーチン・プログラムを実行した後に本撮影モード処理プログラムを終了する一方、否定判定された場合には上記ステップ１１６へ移行し、前述した通常プレビューを実行した後に本撮影モード処理プログラムを終了する。
【００８８】
なお、本実施形態に係る撮影モード処理プログラムでは、上記所定値として、上記差分値が超えたときに撮影画像にぶれが生じたものと見なすことのできる値として予め多人数の官能試験等により得られた値を適用しているが、これに限らず、例えば、ユーザに設定させる形態等、他の形態とすることもできる。
【００８９】
次に、図１２を参照して、本実施形態に係る再撮影処理のルーチン・プログラムについて説明する。なお、図１２は、再撮影処理ルーチン・プログラムの処理の流れを示すフローチャートであり、該プログラムも第１メモリ３８の所定領域に予め記憶されている。また、図１２における図６と同一の処理を行うステップについては図６と同一の符号を付して、その説明を極力省略する。
【００９０】
同図のステップ２００において前述した処理を実行した後にステップ２０４に移行し、ステップ２０４において前述した処理を実行し、ステップ２０４の処理が終了すると、ステップ１２７に移行する。
【００９１】
ステップ１２７では、フォーカス評価値の差分値が所定値以上となる区分領域数が所定数以上であるか否か判定し、肯定判定された場合は撮影画像に手ぶれが発生していると見なしてステップ２０２ｂへ移行し、撮影画像に手ぶれが発生したことを示す手ぶれ発生情報を上記ステップ１１０の処理により記録メディア４２Ａに記憶された撮影画像ファイルのタグ領域６０Ｂに記憶する。
【００９２】
次のステップ２０６ｂでは、予め定められた手ぶれ用再撮影報知画面をＬＣＤ３０により表示させ、次のステップ２０８にて所定情報の入力待ちを行う。図１３には、本実施形態に係る手ぶれ用再撮影報知画面の表示例が示されている。同図に示されるように、この手ぶれ用再撮影報知画面では、手ぶれが発生したために再撮影を行った旨のメッセージと、撮影画像ファイルにより示される被写体像である撮影画像（図１３では「画像１」と表記。）及び再撮影画像ファイルにより示される被写体像である再撮影画像（図１３では「画像２」と表記。）と、撮影画像と再撮影画像の記録として残す画像の選択を促すメッセージとが表示される。なお、このとき、撮影画像及び再撮影画像は並べて表示され、且つ、それぞれの画像の中央部（ここでは、フォーカスエリアに対応する領域）が拡大されて表示される。
【００９３】
上記ステップ１２７において否定判定された場合には撮影画像に被写体ぶれが発生していると見なしてステップ２０２ｃへ移行し、撮影画像に被写体ぶれが発生したことを示す被写体ぶれ発生情報を上記ステップ１１０の処理により記録メディア４２Ａに記憶された撮影画像ファイルのタグ領域６０Ｂに記憶する。
【００９４】
次のステップ２０６ｃでは、予め定められた被写体ぶれ用再撮影報知画面をＬＣＤ３０により表示させ、次のステップ２０８にて所定情報の入力待ちを行う。図１４には、本実施形態に係る被写体ぶれ用再撮影報知画面の表示例が示されている。同図に示されるように、この被写体ぶれ用再撮影報知画面では、被写体ぶれが発生したために再撮影を行った旨のメッセージと、撮影画像ファイルにより示される被写体像である撮影画像（図１３では「画像１」と表記。）及び再撮影画像ファイルにより示される被写体像である再撮影画像（図１４では「画像２」と表記。）と、撮影画像と再撮影画像の記録として残す画像の選択を促すメッセージとが表示される。なお、このとき、撮影画像及び再撮影画像は並べて表示され、且つ、それぞれの画像の中央部（ここでは、フォーカスエリアに対応する領域）が拡大されて表示される。
【００９５】
上記ステップ２０６ｂ又は上記ステップ２０６ｃの処理が終了するとステップ２０８に移行する。ステップ２０８において肯定判定された場合にはステップ２１０に移行し、ステップ２１０において肯定判定された場合にはステップ２１２に移行し、ステップ２１２において前述した処理を実行し、本再撮影処理ルーチン・プログラムを終了する。
【００９６】
上記ステップ２１０において否定判定された場合にはステップ２１４に移行し、ステップ２１４において肯定判定された場合にはステップ２１６に移行し、ステップ２１６において前述した処理を実行し、本再撮影処理ルーチン・プログラムを終了する。一方、上記ステップ２１４において否定判定された場合には本再撮影処理ルーチン・プログラムを終了する。なお、上記ステップ１２７が本発明の制御手段に相当する。
【００９７】
次に、図１５を参照して、再生モードが設定されており、記録メディア４２Ａに記憶されている、ぶれが発生している撮影画像を消去する際のデジタルカメラ１０の作用を説明する。なお、図１５は、この際にＣＰＵ３２により実行される撮影画像消去処理プログラムの処理の流れを示すフローチャートであり、該プログラムも第１メモリ３８の所定領域に予め記憶されている。また、図１５における図８と同一の処理を行うステップについては図８と同一の符号を付して、その説明を極力省略する。
【００９８】
同図のステップ３００において否定判定となった場合には本撮影画像消去処理プログラムを終了する一方、肯定判定となった場合にはステップ３０２へ移行して前述した処理を実行する。次のステップ３０４において否定判定となった場合には本撮影画像消去処理プログラムを終了する一方、肯定判定となった場合にはステップ３０６ｂに移行する。
【００９９】
ステップ３０６ｂでは、撮影画像ファイル（以下、「処理対象画像ファイル」という。）に被写体ぶれ発生情報又は手ぶれ発生情報が記憶されているか否かを判定する。ステップ３０６ｂにおいて否定判定となった場合は上記ステップ３１６へ移行する一方、肯定判定となった場合にはステップ３０７に移行する。
【０１００】
ステップ３０７では処理対象画像ファイルに被写体ぶれ発生情報が記憶されているか否かを判定する。ステップ３０７において否定判定となった場合にはステップ３０８ｂへ移行する一方、肯定判定となった場合にはステップ３０８ｃへ移行する。
【０１０１】
ステップ３０８ｂでは、予め定められた手ぶれ用画像消去指示画面をＬＣＤ３０により表示させ、次のステップ３１０にて所定情報の入力待ちを行う。
【０１０２】
図１６には、本実施形態に係る手ぶれ用画像消去指示画面の表示例が示されている。同図に示されるように、この手ぶれ用画像消去指示画面では、処理対象画像ファイルにより示される撮影画像と、この撮影画像に手ぶれが発生した可能性が高いことを示すメッセージと、表示されている撮影画像を消去するか否かの指定を入力するためのメニューとが表示される。
【０１０３】
ステップ３０８ｃでは、予め定められた被写体ぶれ用画像消去指示画面をＬＣＤ３０により表示させ、次のステップ３１０にて所定情報の入力待ちを行う。
【０１０４】
図１７には、本実施形態に係る被写体ぶれ用画像消去指示画面の表示例が示されている。同図に示されるように、この被写体ぶれ用画像消去指示画面では、処理対象画像ファイルにより示される撮影画像と、この撮影画像に被写体ぶれが発生した可能性が高いことを示すメッセージと、表示されている撮影画像を消去するか否かの指定を入力するためのメニューとが表示される。
【０１０５】
ステップ３０８ｂ又はステップ３０８ｃの処理が終了するとステップ３１０に移行し、ステップ３１０において肯定判定となった場合はステップ３１２に移行する。ステップ３１２において否定判定となった場合はステップ３１６に移行する一方、肯定判定となった場合にはステップ３１４に移行し、前述した処理を実行する。ステップ３１４での処理が終了すると、ステップ３１６に移行する。ステップ３１６において否定判定となった場合はステップ３０２に戻る一方、肯定判定となった時点で本撮影画像消去処理プログラムを終了する。
【０１０６】
以上詳細に説明したように、上記各実施形態によれば、撮像手段（ここでは、ＣＣＤ１４）により、結像レンズ（ここでは、レンズ１２）を透過した被写体像が撮像されることにより当該被写体像を示す画像情報が取得され、検出手段（ここでは、ＡＦ検出回路３４）により、撮像手段によって取得された画像情報に基づいて結像レンズによる合焦の度合を示す物理量（ここでは、フォーカス評価値）が検出され、自動合焦手段（ここでは、ＣＰＵ３２）により、検出手段によって検出された物理量に基づいて自動で合焦制御が行われ、第１記憶手段（ここでは、第２メモリ４０）により、自動合焦手段による合焦時の物理量である合焦時物理量が記憶される一方、第２記憶手段（ここでは、記録メディア４２Ａ）により、自動合焦手段により合焦された状態で被写体像の撮影の実行指示が入力されたときに撮像手段により取得された画像情報が撮影画像情報として記憶され、制御手段（ここでは、ＣＰＵ３２）により、第１記憶手段に記憶された合焦時物理量と、撮影画像情報に基づいて検出手段により検出された物理量である撮影時物理量との比較結果に基づいて、撮影画像情報により示される被写体像にぶれが発生したか否かが判定され、ぶれが発生したと判定された場合に、所定期間内に撮像手段により取得された画像情報が再撮影画像情報として第２記憶手段に記憶させる制御が行われるので、撮影画像情報により示される被写体像にぶれが発生したと判定した場合に、所定期間内に再撮影を行って、被写体像のぶれがない撮影画像を得ることができる。
【０１０７】
また、上記各実施形態によれば、前記撮影画像情報から人の顔の画像を検出する顔検出手段（ここでは、顔検出回路５２）を備え、前記顔検出手段によって前記顔の画像が検出された場合に限り、前記ぶれが発生したか否かを判定しているので、人を含む被写体像についてぶれのないものを得ることができ、人の撮影を重視するユーザにとっての利便性を向上できる。
【０１０８】
また、上記各実施形態によれば、前記ぶれが発生したか否かの判定結果を報知する報知手段（ここでは、ＬＣＤ３０）を備えたので、当該判定結果を把握することができ、ユーザにとっての利便性を向上できる。
【０１０９】
また、上記第２の実施形態によれば、撮像手段（ここでは、ＣＣＤ１４）による撮像範囲を複数の区分領域に分割し、各区分領域毎に前記物理量を検出し、前記各区分領域毎に前記合焦時物理量と前記撮影時物理量との差分が所定値以上であるか否かを判定し、予め定められた数以上の前記区分領域における前記差分が前記所定値以上であった場合には、撮影中にデジタルカメラが揺れてしまうことによって前記撮影画像情報により示される被写体像全体がぶれる現象である手ぶれが発生したと判定し、前記予め定められた数未満の前記区分領域における前記差分が前記所定値以上であった場合には、撮影中に主要被写体が動くことによって前記撮影画像情報により示される被写体像の一部がぶれる現象である被写体ぶれが発生したと判定しているので、ユーザはぶれの種類を容易に把握することができる。
【０１１０】
また、上記各実施形態によれば、前記再撮影画像情報を記憶させる制御が行われた場合に再撮影が実行されたことを更に報知するので、ユーザは撮影時にぶれが発生したと判定され、再撮影が実行されたことを把握することができる。
【０１１１】
また、上記各実施形態によれば、前記撮影画像情報により示される被写体像と前記再撮影画像情報により示される被写体像とを並べて表示する画像表示手段（ここでは、ＬＣＤ３０）を更に備えたので、ぶれが発生したと判定された被写体像と、ぶれが発生したとの判定に応じた再撮影により得られた被写体像とを容易に比較することができる。
【０１１２】
また、上記各実施形態によれば、前記画像表示手段によって表示された前記撮影画像情報により示される被写体像と前記再撮影画像情報により示される被写体像との少なくとも一方を選択するための選択指示を受け付ける受付手段（ここでは、十字カーソルボタン５６Ｄ及び実行キー５６Ｆ）に備え、前記受付手段によって受け付けられた前記選択指示により選択された被写体像を示す画像情報のみを前記第２記憶手段に残す制御を更に行っているので、ユーザは、ぶれが発生したと判定された被写体像と、再撮影で得た被写体像とのうち、必要な被写体像のみを選ぶことができる。つまり、２つの被写体像のうち、鮮明に写っている（ぶれの少ない又はぶれの無い）被写体像を選択して記憶することができる。
【０１１３】
また、上記各実施形態によれば、前記撮影画像情報を前記第２記憶手段から消去するための指示を入力する入力手段（ここでは、十字カーソルボタン５６Ｄ及び実行キー５６Ｆ）を更に備え、前記制御手段が、前記入力手段により前記消去するための指示が入力されたとき、前記撮影画像情報を前記第２記憶手段から消去する制御を更に行うので、第２記憶手段から撮影画像情報を消去することにより、第２記憶手段から無駄な画像情報を無くすことができる。
【０１１４】
なお、上記第２の実施形態では、撮像領域の全領域を複数の区分領域に分割する形態を例に挙げて説明したが、本発明はこれに限定されるものではなく、撮像領域の一部分を複数の区分領域に分割し、個々の区分領域毎に合焦時のフォーカス評価値と撮影時のフォーカス評価値との差分を算出し、全区分領域に関する差分が所定値以上の場合には手ぶれが発生していると見なし、全区分領域に満たない数の区分領域に関して合焦時のフォーカス評価値と撮影時のフォーカス評価値との差分が所定値以上の場合には被写体ぶれが発生していると見なすようにしても良い。ここで、撮像領域の一部分を複数の区分領域に分割するとしたが、撮像領域において区分領域を設定する箇所は適宜に変更可能である。例えば、矩形状の撮像領域の中央部を水平方向に６分割、垂直方向に６分割の計３６分割とし、各区分領域毎にフォーカス評価値を検出するようにしても良い。この場合、３６個の各区分領域毎に合焦時のフォーカス評価値と撮影時のフォーカス評価値との差分を算出し、その３６個の区分領域に関する差分が所定値以上の場合には手ぶれが発生していると判定し、３６個未満の区分領域に関する差分が所定値以上の場合には被写体ぶれが発生していると判定するようにしても良い。また、撮像領域の中央部に区分領域を設けるのではなく、撮像領域の隅に区分領域を設けるようにしても良い。このように、撮像領域における区分領域を設ける位置は適宜に変更可能である。
【０１１５】
上記第２の実施形態では、矩形状の撮像領域を１００個の区分領域に分割し、個々の区分領域毎に合焦時のフォーカス評価値と撮影時のフォーカス評価値との差分を算出し、全区分領域に関する差分が所定値以上の場合には手ぶれが発生していると見なし、全区分領域に満たない数の区分領域に関して合焦時のフォーカス評価値と撮影時のフォーカス評価値との差分が所定値以上の場合には被写体ぶれが発生していると見なすようにしたが、本発明はこれに限定されるものではなく、撮像領域の全領域を複数の区分領域に分割し、それらの区分領域の一部分を利用して手ぶれと被写体ぶれとを判別するようにしても良い。例えば、撮像領域を１００個の区分領域に分割し、個々の区分領域毎に合焦時のフォーカス評価値と撮影時のフォーカス評価値との差分を算出し、合焦時のフォーカス評価値と撮影時のフォーカス評価値との差分が所定値以上の区分領域数が８０以上の場合には手ぶれが発生していると見なし、合焦時のフォーカス評価値と撮影時のフォーカス評価値との差分が所定値以上の区分領域数が８０未満の場合には被写体ぶれが発生していると見なすことができる。
【０１１６】
上記の各実施形態では、撮影画像及び再撮影画像の双方において中央部が拡大されて表示される例を挙げて説明しているが、撮影画像及び再撮影画像のいずれか一方において中央部が拡大されて表示されるようにしても良い。また、画像の中央部ではなく画像の中央部以外の一部領域を拡大して表示するようにしても良い。この場合、前記一部領域をユーザによって指定するようにしても良い。
【０１１７】
上記の各実施形態では、被写体ぶれや手ぶれが発生したことをＬＣＤ３０を用いて報知するようにしたが、デジタルカメラ１０に予め搭載されている再生状態を表示するためのＬＥＤを点滅させたり、各種音声を出力するためのスピーカを利用しても良い。なお、この場合、被写体ぶれが発生したのか、あるいは手ぶれが発生したのかをユーザが識別することができるようにＬＥＤの点滅スピードをぶれの種類毎に設定したり、スピーカから発する音声の種類もぶれの種類毎に設定することが好ましい。また、ＬＣＤ３０とは別個にＬＣＤを設け、このＬＣＤに被写体ぶれや手ぶれが発生したことを表示するようにしても良い。このように被写体ぶれや手ぶれが発生したことを報知する手段は適宜に変更可能である。
【０１１８】
上記の各実施形態では、再撮影を実行したことをＬＣＤ３０を用いて報知するようにしたが、デジタルカメラ１０に予め搭載されている再生状態を表示するためのＬＥＤを点滅させたり、各種音声を出力するためのスピーカを利用しても良い。また、ＬＣＤ３０とは別個にＬＣＤを設け、このＬＣＤに再撮影を実行したことを表示するようにしても良い。このように再撮影を実行したことを報知する形態は適宜に変更可能である。
【０１１９】
上記の各実施形態では、再生モードにおいて、ＬＣＤ３０に画像とともにメッセージを表示するようにしたが、ＬＣＤ３０に画像を表示したときに前記メッセージを各種音声を出力するためのスピーカを利用して出力するようにしても良い。また、ＬＣＤ３０とは別個にＬＣＤを設け、このＬＣＤに前記メッセージを表示するようにしても良い。
【０１２０】
上記の各実施形態では、Ｅｘｉｆ規格の画像ファイル６０のタグ領域６０Ｂに手ぶれ発生情報や被写体ぶれ発生情報、再撮影情報を記憶しておく場合について説明したが、本発明はこれに限定されるものではなく、例えば、手ぶれ発生情報や被写体ぶれ発生情報、再撮影情報を画像ファイルのファイル名に含めておく形態や、画像ファイルとは別の電子化ファイル（一例としてテキスト・ファイル）により、対応する画像ファイルに関連付けて記憶しておく形態とすることもできる。この場合も上記実施形態と同様の効果を奏することができる。
【０１２１】
上記の各実施形態に係るデジタルカメラ１０の構成（図１、図２参照）は一例であり、本発明の主旨を逸脱しない範囲内において適宜変更可能であることは言うまでもない。
【０１２２】
上記の各実施形態において説明した撮影モード処理プログラム（図５及び図１１参照）、再撮影処理ルーチン・プログラム（図６及び図１２参照）、及び撮影画像消去処理プログラム（図８及び図１５参照）の処理の流れも一例であり、本発明の主旨を逸脱しない範囲内において適宜変更可能であることは言うまでもない。
【図面の簡単な説明】
【０１２３】
【図１】実施形態に係るデジタルカメラの外観を示す外観図である。
【図２】実施形態に係るデジタルカメラの電気系の要部構成を示すブロック図である。
【図３】第１の実施形態に係る撮像領域とフォーカスエリアとを示す概略図である。
【図４】実施形態に係る画像ファイルの構成を示す模式図である。
【図５】第１の実施形態に係る撮影モード処理プログラムの処理の流れを示すフローチャートである。
【図６】第１の実施形態に係る再撮影処理ルーチン・プログラムの処理の流れを示すフローチャートである。
【図７】第１の実施形態に係る再撮影報知画面の表示状態例を示す概略図である。
【図８】第１の実施形態に係る撮影画像消去処理プログラムの処理の流れを示すフローチャートである。
【図９】第１の実施形態に係る画像消去指示画面の表示状態例を示す概略図である。
【図１０】第２の実施形態に係る撮像領域と区分領域とを示す概略図である。
【図１１】第２の実施形態に係る撮影モード処理プログラムの処理の流れを示すフローチャートである。
【図１２】第２の実施形態に係る再撮影処理ルーチン・プログラムの処理の流れを示すフローチャートである。
【図１３】第２の実施形態に係る手ぶれ用再撮影報知画面の表示状態例を示す概略図である。
【図１４】第２の実施形態に係る被写体ぶれ用再撮影報知画面の表示状態例を示す概略図である。
【図１５】第２の実施形態に係る撮影画像消去処理プログラムの処理の流れを示すフローチャートである。
【図１６】第２の実施形態に係る手ぶれ用画像消去指示画面の表示状態例を示す概略図である。
【図１７】第２の実施形態に係る被写体ぶれ用画像消去指示画面の表示状態例を示す概略図である。
【符号の説明】
【０１２４】
１０  デジタルカメラ
１２  レンズ（結像レンズ）
１４  ＣＣＤ（撮像手段）
３０  ＬＣＤ（報知手段）（画像表示手段）
３２  ＣＰＵ（自動合焦手段）（制御手段）
３４  ＡＦ検出回路（検出手段）
４０  第２メモリ（第１記憶手段）
４２Ａ  記録メディア（第２記憶手段）
５２  顔検出回路（顔検出手段）
５６Ｄ  十字カーソルボタン（受付手段）（入力手段）
５６Ｆ  実行キー（受付手段）（入力手段）
【図１】
2008227838.tif 000003
【図２】
2008227838.tif 000004
【図３】
2008227838.tif 000005
【図４】
2008227838.tif 000006
【図５】
2008227838.tif 000007
【図６】
2008227838.tif 000008
【図７】
2008227838.tif 000009
【図８】
2008227838.tif 000010
【図９】
2008227838.tif 000011
【図１０】
2008227838.tif 000012
【図１１】
2008227838.tif 000013
【図１２】
2008227838.tif 000014
【図１３】
2008227838.tif 000015
【図１４】
2008227838.tif 000016
【図１５】
2008227838.tif 000017
【図１６】
2008227838.tif 000018
【図１７】
2008227838.tif 000019